(57)【要約】【課題】受信状態が悪化した場合には、聴覚を通じて受信状態が悪化した旨をユーザに報知することにより、出力される音声が突然途切れることによる不快感の軽減を図るデジタル放送受信装置を提供すること。【解決手段】デジタル放送を受信して音声信号を出力するデジタル放送受信装置において、デジタル放送のビットエラーレートを検出するデコード部１４と、この検出されたビットエラーレートに応じて、音声信号に対応する音声の音質もしくは音量のうち、少なくとも音質を低下させる音質低下部１６とを備えること特徴とする。【選択図】図１
2007096802.tif 000002
【特許請求の範囲】
【請求項１】
デジタル放送を受信して音声信号を出力するデジタル放送受信装置において、
前記デジタル放送のビットエラーレートを検出する検出手段と、この検出されたビットエラーレートに応じて、前記音声信号に対応する音声の音質もしくは音量のうち、少なくとも音質を低下させる音質低下手段とを備えること特徴とするデジタル放送受信装置。
【請求項２】
前記音質低下手段は、前記ビットエラーレートに応じて、前記音声信号を構成するＬチャンネル信号とＲチャンネル信号とを合成することによりセパレーションを低下させる信号合成手段を備えたことを特徴とする請求項１に記載のデジタル放送受信装置。
【請求項３】
前記信号合成手段は、前記ビットエラーレートに対応付けられた所定の比率で前記合成を行うことを特徴とする請求項２に記載のデジタル放送受信装置。
【請求項４】
前記信号合成手段は、前記ビットエラーレートが所定の合成開始レートよりも大きくなった場合に、前記セパレーションを徐々に低下させるべく、前記比率を変更することを特徴とする請求項３に記載のデジタル放送受信装置。
【請求項５】
前記音質低下手段は、前記ビットエラーレートに応じて、前記音声信号から当該音声信号の所定の高周波数帯域成分を除去するローパスフィルタ手段を備えることを特徴とする請求項１乃至４のいずれかに記載のデジタル放送受信装置。
【請求項６】
前記ローパスフィルタ手段は、前記ビットエラーレートに応じて、カットオフ周波数を低下させることを特徴とする請求項５に記載のデジタル放送受信装置。
【請求項７】
前記ローパスフィルタ手段は、前記ビットエラーレートが所定のハイカット開始レートよりも大きくなった場合に、前記カットオフ周波数を徐々に低下させることを特徴とする請求項６に記載のデジタル放送受信装置。
【請求項８】
前記音質低下手段は、前記ビットエラーレートに応じて、前記音量を低下させる音量調節手段を備えることを特徴とする請求項１乃至７のいずれかに記載のデジタル放送受信装置。
【請求項９】
前記音量調節手段は、前記ビットエラーレートが所定のミュート開始レートよりも大きくなった場合に、前記音量を徐々に低下させることを特徴とする請求項８に記載のデジタル放送受信装置。
【請求項１０】
前記ビットエラーレートに応じて、前記デジタル放送の受信状態を表示する表示手段を備えたことを特徴とする請求項１乃至９のいずれかに記載のデジタル放送受信装置。
【請求項１１】
デジタル放送を受信して音声信号を出力するデジタル放送受信装置の制御方法において、
前記デジタル放送のビットエラーレートを検出し、この検出されたビットエラーレートに応じて、前記音声信号に対応する音声の音質もしくは音量のうち、少なくとも音質を低下させること特徴とするデジタル放送受信装置の制御方法。
【発明の詳細な説明】
【技術分野】
【０００１】
本発明は、デジタル放送を受信して音声信号を出力するデジタル放送受信装置および制御方法に関する。
【背景技術】
【０００２】
近年、デジタル放送を受信して音声信号を出力するデジタル放送受信装置が知られている。この種のデジタル放送受信装置では、デジタル放送の受信状態が悪化すると、出力される音声信号に対応する音声が突然途切れるため、ユーザが不快感を覚えるといった問題があった。このため、従来、デジタル放送の受信状態を検出し、この受信状態に関する情報を表示部に表示することにより、ユーザに当該受信状態を報知するデジタル放送受信装置が提案されている（例えば、特許文献１参照）。
【特許文献１】特開２００１−３５９００８号公報
【発明の開示】
【発明が解決しようとする課題】
【０００３】
しかし、従来の構成では、ユーザは視覚を通じて受信状態を認識するものであったため、例えば、この種のデジタル放送受信装置が車両に搭載されている場合には、当該受信状態が悪化した旨が表示部に表示されたとしても、ユーザは車両運転中にこの表示部を頻繁に確認できないため、ユーザが受信状態の悪化を認識できないこともあった。従って、上記構成によっても、出力される音声が突然途切れることによる不快感を解決するには至らなかった。
【０００４】
そこで、本発明は、上述した事情に鑑みてなされたものであり、受信状態が悪化した場合には、聴覚を通じて受信状態が悪化した旨をユーザに報知することにより、出力される音声が突然途切れることによる不快感の軽減を図るデジタル放送受信装置、および、その制御方法を提供することを目的とする。
【課題を解決するための手段】
【０００５】
上記目的を達成するために、本発明は、デジタル放送を受信して音声信号を出力するデジタル放送受信装置において、前記デジタル放送のビットエラーレートを検出する検出手段と、この検出されたビットエラーレートに応じて、前記音声信号に対応する音声の音質もしくは音量のうち、少なくとも音質を低下させる音質低下手段とを備えたこと特徴とする。
【０００６】
この場合において、前記音質低下手段は、前記ビットエラーレートに応じて、前記音声信号を構成するＬチャンネル信号とＲチャンネル信号とを合成することによりセパレーションを低下させる信号合成手段を備えた構成としても良い。この場合、前記信号合成手段は、前記ビットエラーレートに対応付けられた所定の比率で前記合成を行う構成としても良い。さらに、この場合、前記信号合成手段は、前記ビットエラーレートが所定の合成開始レートよりも大きくなった場合に、前記セパレーションを徐々に低下させるべく、前記比率を変更する構成としても良い。
【０００７】
また、前記音質低下手段は、前記ビットエラーレートに応じて、前記音声信号から当該音声信号の所定の高周波数帯域成分を除去するローパスフィルタ手段を備える構成としても良い。この場合、前記ローパスフィルタ手段は、前記ビットエラーレートに応じて、カットオフ周波数を低下させる構成としても良い。さらにこの場合、前記ローパスフィルタ手段は、前記ビットエラーレートが所定ハイカット開始レートよりも大きくなった場合に、前記カットオフ周波数を徐々に低下させる構成としても良い。
【０００８】
また、前記音質低下手段は、前記ビットエラーレートに応じて、前記音量を低下させる音量調節手段を備える構成としても良い。この場合、前記音量調節手段は、前記ビットエラーレートが所定のミュート開始レートよりも大きくなった場合に、前記音量を徐々に低下させる構成としても良い。
【０００９】
また、前記ビットエラーレートに応じて、前記デジタル放送の受信状態を表示する表示手段を備える構成としても良い。
【００１０】
また、本発明は、デジタル放送を受信して音声信号を出力するデジタル放送受信装置の制御方法において、前記デジタル放送のビットエラーレートを検出し、この検出されたビットエラーレートに応じて、前記音声信号に対応する音声の音質もしくは音量のうち、少なくとも音質を低下させること特徴とする。
【発明の効果】
【００１１】
本発明によれば、例えば、車両の運転中にデジタル放送の受信状態が悪化した場合であっても、聴覚を通じて当該受信状態が悪化した旨をユーザに報知することにより、ユーザは受信状態の悪化を認識できる。このため、その後、受信状態が更に悪化して出力される音声の音切れが生じたとしても、ユーザは、この音切れを事前に予期しているため、この音切れによる不快感の軽減を図ることができる。
【発明を実施するための最良の形態】
【００１２】
以下、図面を参照しつつ本発明の実施の形態について説明する。
図１は、本実施形態に係るデジタル放送受信装置（以下、受信装置という）１の構成を示すブロック図である。この図１に示すように、受信装置１は、この受信装置１の各部を制御する制御部１０と、アンテナ１１を介してデジタル放送波を受信するチューナ部１２と、このチューナ部１２から出力された音声信号をデジタル変換するＡ／Ｄ変換部１３と、このＡ／Ｄ変換部１３でデジタル変換された信号の復号処理等を行うデコード部１４と、このデコード部１４で復号された信号をアナログ変換するＤ／Ａ変換部１５と、このＤ／Ａ変換部１５でアナログ変換された音声信号に対応する音声の音質または音量を低下するために、当該アナログ変換された音声信号に各種処理を行う音質低下部（音質低下手段）１６と、制御部１０からの指示に基づき各種表示を行う表示部１７とを備える。
【００１３】
制御部１０は、受信装置１の各部の制御や各種演算処理を実行するものであり、制御用プログラムおよび制御用データを予め記憶しているＲＯＭと、このＲＯＭ内の制御用プログラムに基づいてデジタル放送受信装置１の全体を制御するＣＰＵと、各種データを一時的に格納するＲＡＭとを備えている。
【００１４】
チューナ部１２は、増幅回路、混合回路、局部発振器、及び、ＰＬＬ回路等の一般的に知られる構成要素を備え、局部発振器の発振周波数は、制御信号を介して制御部１０からＰＬＬ回路に設定される分周比に応じて変更される。
【００１５】
デコード部１４は、Ａ／Ｄ変換部１３からの信号に対して、ＦＦＴ（Fast Fourier Transform；高速フーリエ変換）、エラー訂正等を含む解読処理と、この解読処理したデータに対して、ＭＰＥＧオーディオ方式に基づく復号処理とを行う。また、デコード部１４は、誤り訂正符号を用い、Ａ／Ｄ変換部１３からの信号についてのＢＥＲ（ビットエラーレート）の検出を行う検出部としての機能を有する。
【００１６】
音質低下部１６は、制御部１０の制御下、Ｄ／Ａ変換部１５でアナログ変換された音声信号を構成するＬチャンネル信号とＲチャンネル信号とを合成するＬＲ合成部（信号合成手段）２１と、当該音声信号から所定の高周波数帯域成分を除去するＬＰＦ部（ローパスフィルタ手段）２２と、当該音声信号に対応する音声の音量を低下させるミュート部（音量調節手段）２３とを備えて構成されている。本実施形態では、これらＬＲ合成部２１、ＬＰＦ部２２及びミュート部２３は、制御部１０によって、それぞれ別個に制御可能に構成されている。
【００１７】
ＬＲ合成部２１は、制御部１０の制御下、検出されたビットエラーレートに応じて、上記Ｌチャンネル信号とＲチャンネル信号とを合成することにより上記音声信号のセパレーションを低下させ、音声信号に対応する音声の音質を低下させるものである。このセパレーションは、上記Ｌチャンネル信号の大きさとＲチャンネル信号の大きさとの差を示すものであり、当該セパレーションが小さくなるほど、出力される音声がモノラル音声に近くなり音質が低下する。セパレーションが０（ｄＢ）に至った場合には、Ｌチャンネル信号とＲチャンネル信号とは同一の信号となり、モノラル音声が出力されることとなる。本構成では、ＬＲ合成部２１は、ビットエラーレートに対応付けられた比率で、上記Ｌチャンネル信号とＲチャンネル信号との合成することにより、セパレーションを変化させる構成となっている。
【００１８】
ＬＰＦ部２２は、制御部１０の制御下、検出されたビットエラーレートに応じて、音声信号から所定の高周波数帯域成分を除去することにより、当該音声信号に対応する音声の音質を低下させるものである。本構成では、ＬＰＦ部２２はビットエラーレートに応じて、カットオフ周波数を低下させる構成となっている。また、ミュート部２３は、制御部１０の制御下、検出されたビットエラーレートに応じて、出力する音声の音量を低下するものである。また、表示部１７には、検出されたビットエラーレートに応じて、デジタル放送の受信状態に関する情報が表示される。この情報としては、例えば、受信状態が良好な場合には、アンテナが３本表示されており、当該受信状態が悪化するにしたがって、アンテナの本数が減少していくようなものが表示される。
【００１９】
次に、本実施形態の動作を説明する。図２は、制御部１０による音質低下制御の手順を示すフローチャートである。
まず、制御部１０は、所定の時間間隔でデコード部１４にて検出されたビットエラーレートを取得する（ステップＳ１）。本実施形態では、上記所定の時間間隔は１秒に設定されている。続いて、制御部１０は、このビットエラーレートが所定の合成開始レートＰ１よりも大きいか否かを判別する（ステップＳ２）。この合成開始レートＰ１は、ＬＲ合成部２１を介して、Ｌチャンネル信号とＲチャンネル信号との合成を開始するための閾値であり、本実施形態では、合成開始レートＰ１は、１．０×１０-3に設定されている。
【００２０】
この判別において、ビットエラーレートが所定の合成開始レートＰ１よりも小さい場合には、処理をステップＳ４に移行し、このビットエラーレートが所定の合成開始レートＰ１よりも大きい場合には、制御部１０はＬＲ合成部２１を介して、上記Ｌチャンネル信号とＲチャンネル信号との合成を開始する（ステップＳ３）。具体的には、図３に示すように、検出されたビットエラーレートに応じて、上記Ｌチャンネル信号とＲチャンネル信号とのセパレーションを徐々に低下させるように、当該上記Ｌチャンネル信号とＲチャンネル信号との合成比率を変更している。このため、出力される音声信号に対応する音声は、徐々にモノラル音声に近づくため、当該音声の音質をアナログ放送のように徐々に低下させることができる。本構成では、セパレーションが０（ｄＢ）となり、出力される音声がモノラル音声となる場合、ビットエラーレートの所定レートＰ２は、１．０×１０-2に設定されている。
【００２１】
続いて、制御部１０は、上記検出したビットエラーレートが所定のハイカット開始レートＱよりも大きいか否かを判別する（ステップＳ４）。このハイカット開始レートＱは、ＬＰＦ部２２を介して、音声信号の所定の高周波数帯域成分の除去を開始するための閾値であり、本実施形態では、ハイカット開始レートＱは、１．２×１０-3に設定されている。
【００２２】
この判別において、ビットエラーレートが所定のハイカット開始レートＱよりも小さい場合には、処理をステップＳ６に移行し、このビットエラーレートが所定のハイカット開始レートＱよりも大きい場合には、制御部１０は、ＬＰＦ部２２を介して、上記音声信号の所定の高周波数帯域成分を除去する（ステップＳ５）。本構成では、図４に示すように、検出されたビットエラーレートに応じて、カットオフ周波数ｆｃを徐々に低下させることにより、除去される高周波数帯域成分を徐々に大きくすることができる。これによれば、ビットエラーレートが大きくなるに従い、カットオフ周波数ｆｃを徐々に低下させるため、出力される音声信号に対応する音声の音質をアナログ放送のように徐々に低下させることができる。具体的には、ビットエラーレートが大きくなると、徐々にこもったような音となり、明瞭度が低下することとなる。
【００２３】
続いて、制御部１０は、上記検出したビットエラーレートが所定のミュート開始レートＲよりも大きいか否かを判別する（ステップＳ６）。このミュート開始レートＲは、ミュート部２３を介して、音声信号に対応する音声の音量低下を開始するための閾値であり、本実施形態では、ミュート開始レートＲは、１．４×１０-3に設定されている。
【００２４】
この判別において、ビットエラーレートが所定のミュート開始レートＲよりも小さい場合には、処理終了し、このビットエラーレートが所定のミュート開始レートＲよりも大きい場合には、制御部１０は、ミュート部２３を介して、音声の音量を低下させる（ステップＳ７）。本構成では、図５に示すように、検出されたビットエラーレートに応じて、音量を徐々に低下させるようになっている。
【００２５】
本実施形態によれば、デジタル放送のビットエラーレートを検出するデコード部１４と、この検出されたビットエラーレートに応じて、音声信号に対応する音声の音質もしくは音量のうち、少なくとも音質を低下させる音質低下部１６とを備えるため、デジタル放送の受信状態が悪化した場合であっても、音質低下部１６が音質を低下させることによって、聴覚を通じて当該受信状態が悪化した旨をユーザに報知することにより、ユーザは受信状態の悪化を認識できる。このため、その後、受信状態が更に悪化して出力される音声の音切れが生じたとしても、ユーザは、この音切れを事前に予期しているため、この音切れによる不快感の軽減を図ることができる。特に、受信装置が車両に搭載されている場合には、ユーザは車両の運転中であっても、受信状態の悪化を認識できるため、より効果的である。
【００２６】
また、本実施形態によれば、音質低下部１６は、ビットエラーレートに応じて、音声信号を構成するＬチャンネル信号とＲチャンネル信号とを合成することによりセパレーションを低下させるＬＲ合成部２１を備えることにより、デジタル放送の受信状態が悪化した場合には、セパレーションを徐々に低下させてモノラル音声に近い音声を出力することができる。これによれば、ユーザは、聴覚を通じて受信状態の悪化を、その悪化に従ってアナログ放送受信装置のように、アナログ的に認識できる。このため、その後、受信状態が更に悪化して出力される音声の音切れが生じたとしても、ユーザは、この音切れを事前に予期しているため、この音切れによる不快感の軽減を図ることができる。
【００２７】
また、本実施形態によれば、ＬＲ合成部２１は、ビットエラーレートが所定の合成開始レートＰ１よりも大きくなった場合に、ビットエラーレートに対応付けられた所定の比率で、音声信号を構成するＬチャンネル信号とＲチャンネル信号との合成を行うことことにより、ビットエラーレートに応じて、セパレーションを徐々に低下させ、出力する音声に対応する音質をアナログ的に徐々に低下させることができる。このため、ユーザは、音質が徐々に低下した音声を聴き取ることにより、受信状態が悪化したことを違和感無く認識することができる。
【００２８】
また、本実施形態によれば、音質低下部１６は、ビットエラーレートに応じて、音声信号から所定の高周波数帯域成分を除去するＬＰＦ部２２を備えることにより、デジタル放送の受信状態が悪化した場合には、このＬＰＦ部２２により、カットオフ周波数ｆｃを徐々に低下させることにより、除去される高周波数帯域成分を徐々に大きくすることができる。このため、ビットエラーレートが大きくなるに従い、カットオフ周波数ｆｃを徐々に低下させるため、出力される音声信号に対応する音声の音質をアナログ放送のように徐々に低下させることができる。これによれば、ユーザは、聴覚を通じて受信状態の悪化をアナログ的に認識できるため、その後、受信状態が更に悪化して出力される音声の音切れが生じたとしても、ユーザは、この音切れを事前に予期しているため、この音切れによる不快感の軽減を図ることができる。
【００２９】
また、本実施形態によれば、ＬＰＦ部２２は、ビットエラーレートが所定のハイカット開始レートＱよりも大きくなった場合に、ビットエラーレートに応じて、カットオフ周波数を徐々に低下させることにより、出力する音声に対応する音質を徐々に低下させることができる。このため、ユーザは、音質がアナログ的に徐々に低下した音声を聴き取ることにより、受信状態が悪化したことを違和感無く認識することができる。
【００３０】
また、本実施形態によれば、音質低下部１６は、ビットエラーレートに応じて、音量を低下させるミュート部２３を備えることにより、デジタル放送の受信状態が悪化した場合には、この悪化に従って、上記ミュート部２３により音量が徐々に低下された音声を出力することができる。これによれば、ユーザは、聴覚を通じて受信状態の悪化をアナログ的に認識できるため、その後、受信状態が更に悪化して出力される音声の音切れが生じたとしても、ユーザは、この音切れを事前に予期しているため、この音切れによる不快感の軽減を図ることができる。
【００３１】
また、本実施形態によれば、ミュート部２３は、ビットエラーレートが所定のミュート開始レートＲよりも大きくなった場合に、音量を徐々に低下させるため、ユーザは、音量が徐々に低下した音声を聴き取ることにより、受信状態が悪化したことを違和感無く認識することができる。
【００３２】
また、本実施形態によれば、ビットエラーレートに応じて、デジタル放送の受信状態を表示する表示部１７を備えたため、デジタル放送の受信状態が悪化した場合であっても、ユーザは聴覚とともに視覚を通じて、確実に受信状態の悪化を認識することができる。
【００３３】
以上、一実施形態に基づいて本発明を説明したが、本発明は、これに限定されるものではない。例えば、本実施形態では、本実施形態では、音質低下部１６として、ＬＲ合成部２１、ハイカット部２２、ミュート部２３を備える構成としているが、これらをすべて備える必要はなく、例えば、これらのうちの１つを備える構成、もしくは、これらを組み合わせて備える構成としても良い。また、本実施形態では、合成開始レートＰ１、ハイカット開始レートＱ、ミュート開始レートＲは、それぞれ異なる値に設定されているが、これらをすべて同じ値に設定しても良い。
【図面の簡単な説明】
【００３４】
【図１】本実施形態に係る受信装置の機能的構成を示すブロック図である。
【図２】音質低下制御の手順を示すフローチャートである。
【図３】ビットエラーレートとセパレーションとの関係を示した図である。
【図４】ビットエラーレートとカットオフ周波数との関係を示した図である。
【図５】ビットエラーレートと音量との関係を示した図である。
【符号の説明】
【００３５】
１  デジタル放送受信装置
１０  制御部（制御手段）
１４  デコード部（検出手段）
１６  音質低下部（音質低下手段）
１７  表示部（表示手段）
２１  ＬＲ合成部（信号合成手段）
２２  ＬＰＦ部（ローパスフィルタ手段）
２３  ミュート部（音量調節手段）
【図１】
2007096802.tif 000003
【図２】
2007096802.tif 000004
【図３】
2007096802.tif 000005
【図４】
2007096802.tif 000006
【図５】
2007096802.tif 000007